(57)【要約】【課題】流体投与システム用リザーバを提供する。【解決手段】流体（２１）をガス流に導入するため、流体（２１）を流体投与デバイス（１９）に供給するため、流体（２１）を保持するためのリザーバ（２８）において、外容器（３２）と、この外容器内に配置された、流体を保持するように構成された内容器（３０）と、外容器に設けられた、内容器と流体連通した出口（３６）とを含み、内容器は可撓性である、リザーバ。【選択図】図３
2009013988.tif 000002
【特許請求の範囲】
【請求項１】
流体（２１）をガス流に導入するため、流体（２１）を流体投与デバイス（１９）に供給できるように、流体（２１）を保持するリザーバ（２８）であって、
外容器（３２）と、
前記外容器内に配置された、前記流体を保持するように構成された内容器（３０）と、
前記外容器に設けられた、前記内容器と流体連通した出口（３６）と、
前記内容器内に配置された、前記リザーバ用制御ユニット（４０）とを備え、
前記内容器は可撓性である、リザーバ。
【請求項２】
請求項１に記載のリザーバにおいて、
前記内容器は、折りたたみ可能であるように構成されている、リザーバ。
【請求項３】
請求項１又は２に記載のリザーバにおいて、
前記リザーバ（２８）は、前記外容器（３２）に設けられた入口（６１）を含み、この入口は、前記内容器（３０）と流体連通している、リザーバ。
【請求項４】
請求項１乃至３のうちのいずれか一項に記載のリザーバにおいて、
前記内容器は、可撓性ベローズ、袋、バルーン、折りたたみ可能な管、又はダイヤフラムのうちの一つから選択される、リザーバ。
【請求項５】
請求項１乃至４のうちのいずれか一項に記載のリザーバにおいて、
前記内容器は、エラストマー、プラスチック、不透過性布、薄い金属のうちの一つ又はそれ以上から形成される、リザーバ。
【請求項６】
請求項１乃至５のうちのいずれか一項に記載のリザーバにおいて、
前記外容器は実質的に剛性である、リザーバ。
【請求項７】
請求項１乃至６のうちのいずれか一項に記載のリザーバにおいて、
前記内容器及び前記外容器は、空隙（３８）によって間隔が隔てられている、リザーバ。
【請求項８】
請求項７に記載のリザーバにおいて、更に、
前記内容器（３０）と前記外容器（３２）との間の前記空間を通気するように構成された通気手段（３４）を含む、リザーバ。
【請求項９】
請求項１乃至８のうちのいずれか一項に記載のリザーバにおいて、
前記制御ユニットは、前記内容器内の流体の温度を感知するように構成されている、リザーバ。
【請求項１０】
請求項９に記載のリザーバにおいて、
前記制御ユニットは、前記リザーバを加熱するための加熱ユニット（４４）を制御するように構成されている、リザーバ。
【請求項１１】
請求項９又は１０に記載のリザーバにおいて、
前記制御ユニットは、別の制御ユニットと通信状態で配置されており、前記別の制御ユニットは、前記流体投与デバイスを制御するように構成されている、リザーバ。
【請求項１２】
請求項１乃至１１のうちのいずれか一項に記載のリザーバにおいて、
前記外容器は、断熱材（４８）で内側が覆われている、リザーバ。
【請求項１３】
請求項１２に記載のリザーバにおいて、
前記断熱材（４８）は、発泡断熱材又はファイバ断熱材を含む、リザーバ。
【請求項１４】
請求項１乃至１３のうちのいずれか一項に記載のリザーバにおいて、更に、
前記流体投与デバイスを通る流体の流れを制御するように構成された投与ユニット（１７）を含む、リザーバ。
【請求項１５】
請求項１乃至１４のうちのいずれか一項に記載のリザーバにおいて、
前記外容器は、前記内容器と前記外容器との間の空隙（３８）に別の流体（５０）を導入できるように構成された空隙流体入口（５１）を含む、リザーバ。
【請求項１６】
請求項１５に記載のリザーバにおいて、
前記外容器は、前記空隙流体入口（５１）を介して前記空隙に導入された前記別の流体を、前記空隙から出すことができるように構成された空隙流体出口（５３）を含む、リザーバ。
【請求項１７】
請求項１５又は１６に記載のリザーバにおいて、更に、
前記空隙を前記別の流体で加圧するための空気ポンプを含む、リザーバ。
【請求項１８】
請求項１乃至１７のうちのいずれか一項に記載のリザーバにおいて、更に、
環境データを制御ユニットに伝達するように構成された無線周波数ＩＤデバイス（６０）を含む、リザーバ。
【請求項１９】
請求項１乃至１８のうちのいずれか一項に記載のリザーバにおいて、更に、
流体を前記内容器に圧送するように構成されたポンプ（６８）を含む、リザーバ。
【請求項２０】
請求項１乃至１９のうちのいずれか一項に記載のリザーバにおいて、
前記流体（２１）は還元剤である、リザーバ。
【請求項２１】
リザーバシステムであって、
請求項１５乃至１７のうちのいずれか一項に記載のリザーバ（２８）と、
一端が、前記空隙流体入口（５１）又は前記空隙流体出口（５３）のいずれかを介して前記リザーバに連結された別の流体流れ配管（５６）とを含み、
前記別の流体流れ配管（５６）を通る前記別の流体の流れは、サーモスタット（５４）によって制御されるように構成されている、リザーバシステム。
【請求項２２】
請求項２１に記載のリザーバシステムにおいて、
前記別の流体流れ配管（５６）は、前記リザーバ（２８）を前記流体投与デバイス（１９）に連結する反応物配管（２３）と隣接して、又はこの配管の周囲を、又はこの配管を通って延びるように構成されている、リザーバシステム。
【請求項２３】
請求項２１又は２２に記載のリザーバシステムにおいて、更に、
別の流体の供給源を含み、
前記入口（５１）は、前記別の流体の供給源と流体連通状態に配置される、リザーバシステム。
【請求項２４】
請求項２１又は２２に記載のリザーバシステムにおいて、
前記リザーバ（２８）は、前記外容器（３２）の入口（６１）を含み、この入口は、前記内容器（３０）と流体連通しており且つ別のタンク（６２）又は充填バルブ（６４）と流体連通している、リザーバシステム。
【請求項２５】
触媒還元システムであって、
所与の流れ方向を持つガス流に流体を導入するための流体投与デバイス（１９）と、
還元剤を保持するための請求項１乃至２０のうちのいずれか一項に記載のリザーバ（２８）又は請求項２１乃至２４のうちのいずれか一項に記載のリザーバシステムと、
還元剤を前記リザーバから前記流体投与デバイスに送出するための還元剤ポンプ（１５）とを含む、触媒還元システム。
【請求項２６】
請求項２５に記載の触媒還元システムにおいて、更に、
前記ガス流を所与の流れ方向に搬送するための排気配管（５）と、
前記排気配管に前記流体投与デバイスの下流に配置された少なくとも一つの選択的触媒還元コンバータ（９）とを含む、触媒還元システム。
【請求項２７】
請求項２６に記載の触媒還元システムを含む車輛。
【発明の詳細な説明】
【技術分野】
【０００１】
本発明は、流体投与システム用リザーバに関する。詳細には、本発明は、流体投与デバイスによって排気ガス流中に導入するための還元剤を保持するため、リザーバタンクに関する。
【背景技術】
【０００２】
エンジンの排気ガス中の窒素酸化物（ＮＯｘ）のエミッションは、世界中の健康の専門家等の関心事である。多くの国々で、規制により、新たな機器におけるＮＯｘレベルの厳しい低減が求められている。ＮＯｘエミッションは、内燃エンジン、ガスタービンエンジンの排気、希薄燃焼エンジン、産業用ボイラー、プロセスヒーター、又は他のプロセススチーム等の様々なシステムでみられる
ＮＯｘエミッションを低減するため、選択的還元触媒（ＳＣＲ）デバイスを使用して排気流を処理し、窒素酸化物（ＮＯｘ）を大幅に低減することが知られている。ＳＣＲシステムでは、還元剤、例えば尿素溶液を排気ガス流中にＳＣＲ触媒の上流で投与する。この還元剤は、次いで、通常は、ＳＣＲデバイスでの噴射点の下流で、触媒の存在下で反応する。ＳＣＲデバイス内では、ＮＯｘ化合物が還元されて窒素になる。ＷＯ２００４／１１１４０１には、このデバイスが開示されている。
【０００３】
ＳＣＲデバイスの一般的な作動を図１に示す。この図では、ディーゼルエンジン１は、様々な排気ガス３を含む排気流を発生する。排気ガスは、全体に参照番号５を付した排気システムを通して搬送される。排気システム５は、酸化触媒デバイス７と、選択的還元触媒デバイス９と、スリップ触媒１１とを含む。
【０００４】
酸化触媒デバイス７は、ハニカム構造又は基材を収容したキャニスタを含む流通デバイスである。基材は、活性触媒層でコーティングした大きな表面積を有する。この層には、少量のプラチナやパラジウム等の貴金属が良好に分散させてある。排気ガスが触媒を横切るとき、一酸化炭素、気体状炭化水素、及び液状炭化水素粒子（未燃焼燃料及びオイル）が酸化され、これによって有害なエミッションを減少する。
【０００５】
ＳＣＲデバイス９は、アンモニア（尿素源から得られた）を化学還元体として使用し、窒素酸化物（ＮＯｘ）の選択的触媒還元（ＳＣＲ）を行う。ＳＣＲは、過酷な使用が行われる市場でディーゼルエンジンを備えたヨーロッパの商業的車輛に対するユーロＩＶ及びユーロＶの必要条件を満たすための技術的且つ経済的な解決策であることがわかっている。
【０００６】
未反応のアンモニアを除去するため、スリップ触媒１１がＳＣＲデバイス９の下流に配置してある。
【０００７】
ＳＣＲデバイス９用の尿素は、排気システム５と流体連通したタンク１３に貯蔵されている。尿素をタンク１３から排気システム５に圧送するため、ポンプ１５が設けられている。尿素の供給は、制御ユニット１７、例えばエンジン制御ユニットによって制御される。この制御ユニットは、エンジン１からエンジン速度及びエンジンのその他のパラメータを受け取る。噴射デバイス１９（本明細書中、流体投与デバイスとして周知である）を使用し、尿素を排気流に噴射する。
【０００８】
図２は、排気から有害なガスを除去する目的で、図１に示すシステム等の排気システム５に液体還元剤を送出するための簡単な既知の投与システムを示す。還元剤２１（例えば、タンク３２．５％尿素溶液）がリザーバタンク１３に保持されており、還元剤は、配管２３を介して投与ユニット１７に送出される。投与ユニット１７は、ノズル１９を介した還元剤の排気３内への送出を制御する。
【０００９】
一般的には、タンク１３には、少なくとも一つの反応物（試薬）レベル及び量センサ２５と、温度センサ２７とが設けられている。３２．５％尿素溶液は、−１１．５℃で凍結してしまうため、タンクには、更に、寒冷な気候で使用するためのヒーターが設けられていてもよい。タンクを空にできるようにするため、空気を入れるためのベントを設けておく必要がある。これは、代表的には、充填用キャップに設けられる。空気が熱せられた場合にタンクが加圧状態にならないようにするため、ベントは、空気を外に逃がすことができる。この構成と関連した問題点は、汚染物を吸い込み、水蒸気を追い出し、還元剤溶液の量及び濃度が変化してしまうことがあるということである。更に、タンクが誤った流体で充填されてしまう場合があり、正しい流体による充填時に汚染物が入り込んだり蒸気が逃げたりしてしまう場合がある。タンク内の流体が凍結した場合には、流体が自由に流れることができる前に、大量の反応物（試薬）を溶かさなければならない。これは、氷塊がタンクの壁に凍りついてしまうためである。このことは、出口の近くの氷だけが溶解し、液体が引き出された場合、出口を取り囲む氷がシールを形成するため、出口の周囲の圧力が低下するということを意味する。これは、システムを全力で作動できる前に長い時間を要するか或いは十分に大きな氷を迅速に溶かすのに大量の熱を使用しなければならないかのいずれかであるということを意味する。
【発明の開示】
【発明が解決しようとする課題】
【００１０】
従って、本発明の目的は、上述の問題点を実質的に解決するか或いは緩和する、流体をガス流に導入するために投与システムで使用されるリザーバタンクを提供することである。
【課題を解決するための手段】
【００１１】
本発明の第１の特徴によれば、流体をガス流に導入するため、流体を流体投与デバイスに供給するため、流体を保持するためのリザーバにおいて、外容器と、外容器内に配置された、流体を保持するように構成された内容器と、外容器に設けられた、内容器と流体連通した出口と、内容器内に配置された、リザーバ用制御ユニットとを含み、内容器は可撓性である、リザーバが提供される。
【００１２】
便利には、制御ユニット（電子式制御ユニット；ＥＣＵ）又は他の構成要素をリザーバと一体化してもよい。これにより、有利には、リザーバに関する不正を困難にする。ＥＣＵは、現場、例えば車輛ではなく、リザーバ充填場所で再設定されてもよい。制御ユニットが設けられているため、温度感知機能及び加熱機能を一体化でき、更に、投与デバイスに接続できる。従って、本発明によれば、リザーバは、更に、内容器内に配置されたリザーバ用制御ユニットを含む。
【００１３】
便利には、制御ユニットは、内容器内の流体の温度を感知するように構成されていてもよい。制御ユニットは、更に、リザーバを感知するための感知ユニットを制御するように構成されていてもよい。
【００１４】
便利には、制御ユニットは、流体投与デバイスを制御するように構成された別の制御ユニットと通信していてもよい。
【００１５】
本発明は、可撓性容器が剛性容器内に配置された上文中に説明した投与システムで使用できるリザーバを提供する。
【００１６】
便利には、内容器は、流体がリザーバから流体投与デバイスに移動するときに内容器の容積が減少するように、折りたたむ又は潰れることができるように構成されていてもよい。
【００１７】
便利には、リザーバは、外容器に設けられた入口を含んでいてもよく、この入口は、内容器と流体連通しており、その結果、流体（又は交換流体）をリザーバに圧送できる。
【００１８】
内容器は、可撓性ベローズ、袋、バルーン、コラプシブルチューブ、又はダイヤフラムのうちの任意の一つから形成されていてもよい。便利には、内容器は、エラストマー、プラスチック、不透過性布、薄い金属のうちの一つ又はそれ以上から形成されていてもよい。
【００１９】
適当には、外容器は実質的に剛性であるように構成されていてもよい。
【００２０】
便利には、内容器及び外容器は、空隙によって間隔が隔てられていてもよい。この空隙は、前記リザーバ内の流体の凍結を遅らせるのを補助できる断熱層として作用する。
【００２１】
適当には、リザーバは、更に、内容器と外容器との間の空間を通気するように構成された、バルブや外容器の穴等の通気手段を含んでいてもよい。
【００２２】
リザーバ内の流体の凍結を遅らせるため、外容器は、断熱材でライニングしてあってもよい。断熱材がリザーバ内の流体と接触していないため、安価であり且つ効率的なフォーム又はファイバを使用してもよい。
【００２３】
便利には、リザーバは、更に、流体投与デバイスを通る流体の流れを制御するように構成された一体の流体投与ユニットを含んでいてもよい。
【００２４】
便利には、リザーバは、別の流体、例えば加圧空気、燃料、又はクーラントを容器間の空隙に別の流体を導入できるように構成された別の入口、即ち「空隙流体入口」を備えていてもよい。この別の流体を加圧することによって、内容器から出口を通過する流れを制御してもよい。更に、外容器は、空隙流体入口を介して空隙に導入された別の流体を、空隙から出すことができるように構成された空隙流体出口を含んでいてもよい。
【００２５】
制御ユニット（ＥＣＵ）をリザーバに組み込む実施例の変形例として、制御ユニットをリザーバのベースプレートに設け、無線周波数ＩＤ（識別）デバイスをリザーバ内に配置し、環境データを制御ユニットに伝達するように構成してもよい。
【００２６】
リザーバは、流体を流体源から内容器に圧送するように構成された一体化したポンプを含んでいてもよい。
【００２７】
便利には、上文中に論じたリザーバは、排気システムの排気ガス流に投与するための還元剤で充填されていてもよい。
【００２８】
本発明の第２の特徴では、リザーバシステムにおいて、
別の流体が、内容器と外容器との間の空隙に空隙流体入口を介して導入され、この空隙から空隙流体出口を介して取り出される、本発明の第１の特徴によるリザーバと、
一端が、空隙流体入口又は空隙流体出口のいずれかを介してリザーバに連結された別の流体流れ配管とを含み、
別の流体流れ配管を通る別の流体の流れは、サーモスタットによって制御されるように構成されている、リザーバシステムが提供される。
【００２９】
便利には、別の流体流れ配管は、リザーバを流体投与デバイスに連結する反応物配管（試薬配管）と隣接して、又はこの配管の周囲を、又はこの配管を通って延びるように構成されていてもよい。便利には、空隙流体入口に連結された別の流体流れ配管又は空隙流体出口に連結された別の流体流れ配管は、反応物配管と隣接して、又はこの配管の周囲を、又はこの配管を通って延びるように構成されている。
【００３０】
リザーバシステムは、更に、空隙を別の流体で加圧するための空気ポンプを含んでいてもよい。別の流体は、便利には、流体のタンク又は充填バルブのいずれかで支持されている。
【００３１】
リザーバシステムは、更に、流体を内容器に供給するためのタンク又は充填バルブを含んでいてもよい。
【００３２】
本発明の第３の特徴によれば、触媒還元システムにおいて、所与の流れ方向を持つガス流に流体を導入するための流体投与デバイスと、還元剤を保持するための、本発明の第１又は第２の特徴によるリザーバと、還元剤をリザーバから流体投与デバイスに送出するための還元剤ポンプとを含む、触媒還元システムが提供される。
【００３３】
便利には、触媒還元システムは、更に、ガス流を所与の流れ方向に搬送するための排気配管と、排気配管に流体投与デバイスの下流に配置された少なくとも一つの選択的触媒還元コンバータとを含んでいてもよい。
【００３４】
本発明は、更に、本発明の第３の特徴に記載した触媒還元システムを備えた車輛を含む。
【００３５】
本発明を更によく理解するため、次に、添付図面を例として参照する。
【発明を実施するための最良の形態】
【００３６】
添付図面に亘り、同様の参照番号を使用して同様の特徴を示すということに着目されたい。
【００３７】
本発明の第１実施例による、全体に参照番号２８を付したリザーバタンクを図３に示す。
【００３８】
ベローズ、袋、バルーン、折りたたみ可能な管（コラプシブルチューブ）、又はダイヤフラム等の可撓性部材／容器３０に還元剤２１が入っている。可撓性部材用の適当な材料には、エラストマー、プラスチック、不透過性の布等が含まれ、又はベローズの場合には、薄い金属を使用してもよい。
【００３９】
可撓性部材を比較的剛性の外容器３２内に保持し、可撓性部材（内容器）と外容器との間の空間を、単なる穴３４によって又はバルブを介してのいずれかで通気する。バルブが設けられている場合には、圧力を制御するために使用してもよく、又は認可された再充填者による以外では容器の再充填が行われないようにする（反応物の品質を確保するため）。
【００４０】
反応物出口（試薬出口）３６が設けられている。この出口には、認可された再充填者による以外では再充填が行われないようにするため、自己シール連結部及び／又は一方向バルブ設けられていてもよい。
【００４１】
充填段階で反応物の品質及び量が保証されている場合には、尿素レベルセンサ及び尿素品質センサは必要とされない。その代わり、容器を装着するときに電子式制御ユニット（ＥＣＵ）にコマンドが送られる。このようにして、ＥＣＵは、既知の量の反応物で一杯に充填された容器があるということを告げることができる。尿素システムがシールされているため、反応物（試薬）の品質が変化することはない。従って、ＥＣＵは、どれ程の量の反応物がリザーバタンクから送出されたのかがわかるため、送出された量を、一杯に充填した量から差し引くことによって、リザーバタンク内のレベルがわかる。
【００４２】
本発明の第１実施例による構成の追加の利点は、内部容器と外部容器の壁との間に空隙３８が形成されるということである。この空隙は、断熱層として作用し、反応物容器の凍結を遅らせ、そのため、解凍手段が必要となる前に長い寒冷期間を必要とする。これにより、夜間にしか反応物の凍結点よりも下に低下しない多くの気候において、加熱を行う必要がなくなる。更に、システムがシールされているため、車輛の内部に配置できるという利点がある。車輛内部では、車室を外部環境から追加に断熱でき、車室からの熱でシステムが加熱されないようにできる。
【００４３】
図４は、本発明の第２実施例を示す。この実施例では、ＥＣＵ４０及び／又は一組の他の構成要素がリザーバタンクと一体化してある。これには、容器に関して不正を行うことが更に困難になり、ＥＣＵの再設定を、容器を車輛に装着するときに行うことを必要とするのでなく、容器充填の際にできるという追加の利点がある。
【００４４】
更に、図４の実施例により、温度感知、加熱といった機能を一体化でき、投与ユニット１７及び／又は配管ヒーター４４への接続部４２と、車輛ＥＣＵ及び／又は他のセンサへの接続部４６とを一つのユニットに一体化でき、これにより電気的接続部の数を最少にし、必要な配線用空間の量を最少にする。
【００４５】
可撓性容器手段の底部に設けられた加熱手段は、底部についた氷だけを溶かせばよい。これは、たとえ頂部に固体の氷があっても、送出された容積を埋めるために内部容器が自由に下がるためである。装着を容易にするため、全ての電気接続部及び流体接続部は、リザーバタンクを車輛に装着するとき、一つのコネクタで同時に係合するように形成されていてもよい。古いユニットが充填者に戻される場合には、交換ユニットを安価に販売できる。これにより、材料の無駄が少なくなる。これは、リザーバタンクを再使用する上で大きなインセンティブがあるためである。
【００４６】
図５は、本発明の第３実施例を示す。この実施例では、外容器３２が断熱材４８でライニングしてある。反応物が可撓性部材内に保持されているため、断熱材は、反応物に対して耐性である必要がなく、従って、安価であり且つ効率的な発泡体（フォーム）又はファイバであってもよい。断熱材は、凍結の可能性の低減並びに解凍時間の減少に加え、有利には、氷塊が可撓性部材３０の壁にぶつかった場合に発生する騒音を減少する。更に、断熱材により、内容器３０内の氷により外容器３２に追加の応力が加わることがなく、膨張するための空間が提供される。
【００４７】
図６は、本発明の第４実施例を示す。この実施例では、投与ユニット１７が、容器内に一体化してある。
【００４８】
図７は、本発明の第５実施例を示す。この実施例では、外容器の入口５１（空隙流体入口）を介して流体５０を二つの容器間に導入できる。この流体は、例えば、ターボチャージャー又は制動システムからの加圧空気であってもよいし、燃料噴射システムの低圧回路からの加圧燃料であってもよいし、車輛冷却システムからの加圧クーラントであってもよい。この空間を加圧するため、特殊な空気ポンプを設けてもよい。これには、投与バルブ５２をポンプでなく反応物に露呈しさえすればよいという利点がある。
【００４９】
図８は、本発明の第６実施例を示す。この実施例は、本発明の第５実施例の変形例である。図８では、流体５０が空間を通って流通するように構成されている。この場合、凍結した反応物を溶かすのに流体（例えばエンジンのクーラント）からの熱を使用できる。必要な場合にだけ反応物を加熱するため、この流れを制御するため、リザーバタンク２８に配管５６によって連結されたバルブ又はサーモスタット５４を使用してもよい。流れ配管５６は、反応物配管２３の解凍も行うため、反応物配管２３の周囲と隣接して、又は反応物配管２３を通って延びていてもよい。流体５０は、内容器と外容器との間の空間に入口５１を介して進入し、外出口５３（空隙流体出口）を介して出る。
【００５０】
図９は、本発明の第７実施例を示す。図９に示すように、図５について言及した機能のうちの任意の機能又は全ての機能を、容器２８が取り付けられたベースプレート５８に組み込んでもよい。これには、最も高価で壊れ易い部品が、車輛に取り付けられたままであるという利点がある。ＥＣＵにより容器内の品質及び／又は量を確認するため、無線周波数のＩＤタグ（識別タグ）６０をリザーバタンク２８内又はその外に設けてもよい。これは、小売商で防犯のために使用されている簡単な融着可能なタグであってもよいし、反応物の残留量及び／又は反応物の種類及び経過時間等のデータを登録するためのチップを含んでいてもよい。融着可能なタグの場合には、これは、容器の装着時にＥＣＵによって融着される。その結果、認可された充填者によって充填が行われた後、新たなタグが装着される場合を除いて、容器は再使用できない。タグは、更に、ＥＣＵによって、光学的手段、熱的手段、磁気的手段、又は超音波的手段を使用して、読取り、書き込み、又は消去を行うため、直接的に電気的に接続されていてもよい。
【００５１】
図１０は、本発明の第８実施例を示す。この実施例は、図９に示す実施例と同様である。しかしながら、図１０に示すように、ベースプレート５８は、一体化した投与ユニット１７を、更に含んでいてもよい。
【００５２】
図１１は、本発明の第９実施例を示す。図１１に示すように、システムは、リザーバタンク２８及び別のタンク６２を含む。このタンク６２は、入口６１を介してタンク２８と流体連通している。リザーバタンクは、第１実施例乃至第８実施例のうちの任意の実施例によるリザーバタンクであってもよいということに着目されたい。
【００５３】
図１１の構成は、任意の供給源からの反応物で充填を行うことができるのが所望である場合、及び／又は取り外し自在の容器を装着する上で適当な空間が車輛にない場合に使用できる。この場合、品質センサ、温度センサ、及び／又はレベルセンサは、別のタンクに配置されていてもよいし、容器及び／又はベースプレートに配置されていてもよい。このシステムの別の利点は、収容される反応物が少量であってもよいため、リザーバタンク２８を小さくでき迅速に解凍できるということである。別のタンク６２を凍結するままにしておくことができる。これは、リザーバタンクを再充填するのに十分な間隔で解凍を行えばよいためである。
【００５４】
図１２は、本発明の第１０実施例を示す。この実施例は、図１１に示す実施例と同様の実施例である。十分に大きなリザーバタンクを装着するための空間があるけれども取り外しを容易に行うことができない場合には、図１２の構成を使用してもよい。この場合、シールした充填体キャップ６４又は充填バルブが車輛の便利な箇所に配置される。
【００５５】
図１３は、本発明の第１１実施例を示す。この実施例では、加圧ガス又は蒸気６６が、内容器３０と外容器３２との間にシールされている。加圧ポンプ６８を使用して流体をリザーバタンク内に圧送し、投与バルブ５２を使用して流体を送出する。この実施例には、ポンプをいつでも（例えば騒音が聞こえない場合）作動でき、蓄えられ与圧された反応物をいつでも使用できるという利点がある。別の簡単な充填バルブを、入口で、及び充填時に与圧されたリザーバタンクで使用してもよい。
【００５６】
添付図面に示した以外の、上文中に説明した特徴の多くの組み合わせが可能であるということは理解されよう。例えば、上述の実施例のうちの任意の実施例は、断熱材を備えていてもよいし備えていなくてもよく、それらの実施例のうちの大部分の実施例が、投与ユニットを任意の場所に備えていてもよい。
【００５７】
内容器と外容器との間の空間が加圧されていない上文中に説明した全ての実施例において、反応物のレベルを検出するために圧力センサを使用できる。容器内の反応物のレベルを、内容器の底部から頂部まで超音波パルスを反射させ、これらのパルスが戻るのに要する時間を計測することによって検出してもよい。戻りパルスのスペクトルを分析することによって、還元剤の密度（及び従って強さ）を検出できる。反応物のレベル及び量を、内容器の頂部から底部までの流体の電気抵抗又は静電容量によって計測してもよい。
【００５８】
特許請求の範囲に定義した本発明の範囲から逸脱することなく、様々な変更及び改良を行ってもよいということは、当業者には理解されよう。
【図面の簡単な説明】
【００５９】
【図１】図１は、既知の選択的触媒還元（ＳＣＲ）デバイスの図である。
【図２】図２は、図１の既知のＳＣＲデバイスで使用するための既知のリザーバタンクの図である。
【図３】図３は、本発明の第１実施例によるリザーバタンクの図である。
【図４】図４は、本発明の第２実施例によるリザーバタンクの図である。
【図５】図５は、本発明の第３実施例によるリザーバタンクの図である。
【図６】図６は、本発明の第４実施例によるリザーバタンクの図である。
【図７】図７は、本発明の第５実施例によるリザーバタンクの図である。
【図８】図８は、本発明の第６実施例によるリザーバタンクの図である。
【図９】図９は、本発明の第７実施例によるリザーバタンクの図である。
【図１０】図１０は、本発明の第８実施例によるリザーバタンクの図である。
【図１１】図１１は、本発明の第９実施例によるリザーバタンクの図である。
【図１２】図１２は、本発明の第１０実施例によるリザーバタンクの図である。
【図１３】図１３は、本発明の第１１実施例によるリザーバタンクの図である。
【符号の説明】
【００６０】
２１  還元剤
２８  リザーバタンク
３０  容器
３２  外容器
３４  穴
３６  反応物出口
【図１】
2009013988.tif 000003
【図２】
2009013988.tif 000004
【図３】
2009013988.tif 000005
【図４】
2009013988.tif 000006
【図５】
2009013988.tif 000007
【図６】
2009013988.tif 000008
【図７】
2009013988.tif 000009
【図８】
2009013988.tif 000010
【図９】
2009013988.tif 000011
【図１０】
2009013988.tif 000012
【図１１】
2009013988.tif 000013
【図１２】
2009013988.tif 000014
【図１３】
2009013988.tif 000015
【外国語明細書】
2009013988000001.pdf